(57)【要約】【課題】揮発性表示手段を備えた表示端末において、データの転送時に電力消費を抑制できる表示端末及び表示端末プログラムを提供することを目的とする。【解決手段】表示端末では、データを受信すると（Ｓ３７）、コンテンツのデータか（Ｓ３８：ＹＥＳ）、何％データを送信したかを示す転送状態のデータか（Ｓ４１：ＹＥＳ）、転送完了か（Ｓ４４：ＹＥＳ）を判断する。転送状態のデータの場合には（Ｓ４１：ＹＥＳ）、外部電源の供給が無く、充電池の残量が少量の場合には（Ｓ４２：ＹＥＳ）、表示パネル転送状態表示処理（Ｓ４３）を行わず、応答信号をパーソナルコンピュータに送信し（Ｓ４０）、Ｓ３７の処理に戻る。また、外部電源の供給があるか、充電池の残量が基準値より少量でない場合に（Ｓ４２：ＮＯ）、表示パネル転送状態表示処理（Ｓ４３）を行い、受信した％の表示を数値表示部及びプログレスバーに表示する。【選択図】図９
2009244538.tif 000002
【特許請求の範囲】
【請求項１】
電源からの電力供給が断たれても表示を維持する不揮発性表示手段を備え、他の装置と接続可能である表示端末であって、
前記不揮発性表示手段を構成する表示パネルと、
表示信号に基づいて当該表示パネルを書き換える駆動電圧を供給するパネル駆動電圧生成部と、
前記表示パネルと前記パネル駆動電圧生成部とに電力を供給する電源と、
前記他の装置とデータの送受信を行なうデータ送受信手段と、
を備え、
前記データ送受信手段によるデータの送受信中おいて、所定間隔毎に前記表示パネルと前記パネル駆動電圧生成部とを前記電源からの電力を供給した状態である電力供給状態にする電源供給制御手段と、
前記電源供給制御手段により前記電力供給状態にした後、前記駆動電圧発生部に送受信中のデータ転送量の表示信号を出力する表示制御手段と、
前記駆動電圧発生部へ表示信号を出力後、前記パネル駆動電圧生成部及び前記表示パネルへの前記電源からの電力の供給を断つように制御する電源切制御手段と
を備えたことを特徴とする表示端末。
【請求項２】
前記電源供給制御手段は、前記電源として外部電源が接続されている場合には、前記電源として内部電源が接続されている場合の間隔よりも短い間隔で、前記電力供給状態にすることを特徴とする請求項１に記載の表示端末。
【請求項３】
前記電源は、電池から構成され、
当該電池の残量を検出する電池残量検出手段を備え、
前記電源供給制御手段は、前記電池残量検出手段で検出された電池残量に応じた間隔で前記電力供給状態にすることを特徴とする請求項１に記載の表示端末。
【請求項４】
前記電源供給制御手段は、前記データ送受信手段で送受信中のデータの量に応じた間隔で前記電力供給状態にすることを特徴とする請求項１に記載の表示端末。
【請求項５】
前記表示制御手段は、前記表示パネルの表示領域の内、前記データの転送量の割合を示す文字を表示する表示領域、および／または、前記データの転送量の割合を示す図形を表示する表示領域のみを書き換えることを特徴とする請求項１乃至４の何れかに記載の表示端末。
【請求項６】
請求項１乃至５のいずれかに記載の表示端末の各種処理手段としてコンピュータを動作させることを特徴とする表示端末プログラム。
【発明の詳細な説明】
【技術分野】
【０００１】
本発明は、表示端末及び表示端末プログラムに関するものであり、詳細には、不揮発性表示手段を備えた表示端末及び、不揮発性表示手段を備えた表示端末を制御する表示端末プログラムに関するものである。
【背景技術】
【０００２】
従来、電力の供給が断たれても表示状態を保持する不揮発性表示手段を備えた表示装置が知られている（例えば、特許文献１参照）。この特許文献１に記載の発明の表示装置では、情報の表示状態を維持するための電力は必要としない。また、このような表示装置では、ホスト装置からのデータの転送状態を表示することも行われている。
【特許文献１】特開２００５−２４２０８１号公報
【発明の開示】
【発明が解決しようとする課題】
【０００３】
しかしながら、従来の不揮発性表示手段を備えた表示端末では、データの転送時には表示端末自体の操作できないにもかかわらず、データの転送状態の表示を更新するために表示パネルの周辺装置（一例として、表示パネル駆動高電圧生成部）に電力を供給する必要がある。この表示パネル駆動高電圧生成部は、起動及び停止に時間を要するため、表示の書き換え毎に起動停止をせず、データの転送時には、常時起動させておくので、電池の消費が多くなり、電池が消耗するという問題点があった。
【０００４】
本発明は、上述の問題点を解決するためになされたものであり、不揮発性表示手段を備えた表示端末において、データの転送時に電力消費を抑制できる表示端末及び表示端末プログラムを提供することを目的とする。
【課題を解決するための手段】
【０００５】
上記課題を解決するため、請求項１に係る発明の表示端末では、電源からの電力供給が断たれても表示を維持する不揮発性表示手段を備え、他の装置と接続可能である表示端末であって、前記不揮発性表示手段を構成する表示パネルと、表示信号に基づいて当該表示パネルを書き換える駆動電圧を供給するパネル駆動電圧生成部と、前記表示パネルと前記パネル駆動電圧生成部とに電力を供給する電源と、前記他の装置とデータの送受信を行なうデータ送受信手段とを備え、前記データ送受信手段によるデータの送受信中おいて、所定間隔毎に前記表示パネルと前記パネル駆動電圧生成部とを前記電源からの電力を供給した状態である電力供給状態にする電源供給制御手段と、前記電源供給制御手段により前記電力供給状態にした後、前記駆動電圧発生部に送受信中のデータ転送量の表示信号を出力する表示制御手段と、前記駆動電圧発生部へ表示信号を出力後、前記パネル駆動電圧生成部及び前記表示パネルへの前記電源からの電力の供給を断つように制御する電源切制御手段とを備えている。
【０００６】
また、請求項２に係る発明の表示端末では、請求項１に記載の発明の構成に加えて、前記電源供給制御手段は、前記電源として外部電源が接続されている場合には、前記電源として内部電源が接続されている場合の間隔よりも短い間隔で、前記電力供給状態にすることを特徴とする。
【０００７】
また、請求項３に係る発明の表示端末では、請求項１に記載の発明の構成に加えて、前記電源は、電池から構成され、当該電池の残量を検出する電池残量検出手段を備え、前記電源供給制御手段は、前記電池残量検出手段で検出された電池残量に応じた間隔で前記電力供給状態にすることを特徴とする。
【０００８】
また、請求項４に係る発明の表示端末では、請求項１に記載の発明の構成に加えて、前記電源供給制御手段は、前記データ送受信手段で送受信中のデータの量に応じた間隔で前記電力供給状態にすることを特徴とする。
【０００９】
また、請求項５に係る発明の表示端末では、請求項１乃至４の何れかに記載の発明の構成に加えて、前記表示制御手段は、前記表示パネルの表示領域の内、前記データの転送量の割合を示す文字を表示する表示領域、および／または、前記データの転送量の割合を示す図形を表示する表示領域のみを書き換えることを特徴とする。
【００１０】
また、請求項６に係る発明の表示端末プログラムでは、請求項１乃至５のいずれかに記載の表示端末の各種処理手段としてコンピュータを動作させることを特徴とする。
【発明の効果】
【００１１】
請求項１に係る発明の表示端末では、駆動電圧発生部へ表示信号を出力後、電源切制御手段がパネル駆動電圧生成部及び表示パネルへの電源からの電力の供給を断つように制御するので、電力消費を節約できる。
【００１２】
また、請求項２に係る発明の表示端末では、請求項１に記載の発明の効果に加えて、電源供給制御手段は、電源として外部電源が接続されている場合には、電源として内部電源が接続されている場合の間隔よりも短い間隔で、前記電力供給状態にするので、外部電源が接続され、電源が十分に供給されている場合には、短い間隔でデータ転送量の表示信号が書き換えられるので、正確にデータ転送量を表示することができる。
【００１３】
また、請求項３に係る発明の表示端末では、請求項１に記載の発明の効果に加えて、電源供給制御手段は、電池残量検出手段で検出された電池残量に応じた間隔で電力供給状態にすることができるので、電池の消耗を低減することができる。
【００１４】
また、請求項４に係る発明の表示端末では、請求項１に記載の発明の効果に加えて、電源供給制御手段は、データ送受信手段で送受信中のデータの量に応じた間隔で電力供給状態にするので、送受信中のデータの量に応じた間隔で表示することができる。
【００１５】
また、請求項５に係る発明の表示端末では、請求項１乃至４の何れかに記載の発明の効果に加えて、表示制御手段は、表示パネルの表示領域の内、データの転送量の割合を示す文字を表示する表示領域、および／または、データの転送量の割合を示す図形を表示する表示領域のみを書き換えるので、表示領域全体でなく、表示状態が変化するドットのみを更新するので、無駄な電力を使うことがない。さらに、更新に要する時間も短くてすむ。
【００１６】
また、請求項６に係る発明の表示端末プログラムでは、請求項１乃至５のいずれかに記載の表示端末の各種処理手段としてコンピュータを動作させることができる。
【発明を実施するための最良の形態】
【００１７】
以下、本発明の一の実施の形態を図面を参照して説明する。まず、図１を参照して、表示端末１の外観及び主な動作について説明する。図１は、表示端末１の正面図である。図１に示すように、表示端末１は、略直方体形状をしており、その正面には電気泳動表示装置からなる表示パネル２１０が設けられている。また、図１において図示しないが、表示端末１の右側面には、メモリカード２３（図２参照）を挿入するためのカードスロットが設けられている。表示端末１では、メモリカード２３に記憶されているコンテンツを表示パネル２１０に表示させることができる。なお、本実施の形態における「コンテンツ」では、文字、静止画像及び動画のうちの少なくとも１つを表示することができる。そして、「コンテンツ」は、文字を表示させるためのデータ，画像を表示させるためのデータ及び動画を表示させるためのデータのうちの少なくとも１つのデータで構成される。これらのデータを「コンテンツ本体」とする。さらに、本実施の形態における「コンテンツ」では、コンテンツを識別するための情報を少なくとも含む「付属情報」がコンテンツ本体に付随されている。付属情報には、その他に、例えば、コンテンツの作成日時、作成者、データサイズがあり、コンテンツに関する種々の情報が適宜設定される。
【００１８】
そして、表示パネル２１０の右側には、操作キー１４が設けられている。この操作キー１４は、決定キー１４５と、その上下左右に設けられた上キー１４１，下キー１４２，右キー１４３，左キー１４４とから構成されている。上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を表示パネル２１０に表示されている情報に応じて操作することにより、メモリカード２３に記憶されているコンテンツを表示させたり、各種設定の指示がなされたりする。そして、操作キー１４の下部には電源ボタン１５が設けられている。電源ボタン１５は、表示端末１の電源の入り切りを指示するキーである。
【００１９】
次に、図２を参照して、表示端末１の電気的構成について説明する。図２は、表示端末１の電気的構成を示す模式図である。図２に示すように、表示端末１には、表示端末１の主制御を司るＣＰＵ１０が設けられ、ＣＰＵ１０には、データバス３０を介して、ＲＯＭ１６、ＲＡＭ１７、ＥＥＰＲＯＭ１８、ＲＴＣ１９、表示コントローラ１１、充電コントローラ１２、メモリカードインタフェース（Ｉ／Ｆ）１３、操作キー１４、電源ボタン１５及び通信インターフェース２４が接続されている。
【００２０】
ＲＯＭ１６には、各種情報及び表示端末１を動作させる表示端末プログラムが記憶されている。また、ＲＡＭ１７は各種のデータを一時的に記憶するメモリであり、ＥＥＰＲＯＭ１８は、表示端末１の識別番号等を記憶した不揮発性メモリである。ＲＴＣ（Ｒｅａｌ  Ｔｉｍｅ  Ｃｌｏｃｋ）１９は、時間を計測する。そして、表示コントローラ１１は、電気泳動表示装置からなる表示部２１（図１参照）の表示パネル２１０（図３参照）への情報の表示を制御する。メモリカードＩ／Ｆ１３は、メモリカード２３からの情報の読み取り、書き込みを制御する。また、通信インターフェース２４は、パーソナルコンピュータ（以下「ＰＣ」とも言う。）１００等の外部機器との通信を行うインターフェースであり、無線接続（無線ＬＡＮ、ブルートゥース、赤外線通信）及び有線接続（一例として、ＵＳＢ，ＩＥＥＥ１３９４等）に対応している。
【００２１】
なお、表示端末１は、外部電源２６から電力供給を受けていない場合には、充電池２２の電力で駆動される。充電池２２又は外部電源２６からの電力供給経路は、ＣＰＵ１０に対するものと、ＲＯＭ１６，ＲＡＭ１７，ＥＥＰＲＯＭ１８，表示コントローラ１１といった周辺装置に対するものとの２系統ある。そして、充電コントローラ１２は、充電池２２への外部電源からの充電を制御する。また、電源ボタン１５は押圧することにより、表示端末１の電源のＯＮ・ＯＦＦを行うことができる。
【００２２】
次に、図３を参照して、表示部２１の構成について説明する。図３は表示部２１及びその周辺回路の電気的構成図である。図３に示すように、表示部２１は、電気泳動方式の表示パネル２１０と、当該表示パネル２１０に高圧（一例として、＋−１５Ｖ）を供給するパネル駆動高電圧生成部２１１と、充電コントローラ１２からの電源の供給のＯＮ・ＯＦＦを行うスイッチング部２１３と、パネル駆動高電圧生成部２１１から表示パネル２１０への電源の供給のＯＮ・ＯＦＦを行うスイッチング部２１２とが設けられている。
【００２３】
ここで、表示パネル２１０について、図４乃至図６を参照して説明する。図４は、表示パネル２１０の正面図である。図５は、表示パネル２１０のＩ−Ｉ線（図４）における矢視方向断面図であり、図６は、表示パネル２１０のＩＩ−ＩＩ線（図４）における矢視方向断面図である。表示パネル２１０は、電気泳動表示方式の不揮発性の表示手段であり、表示パネル２１０への電力供給が断たれても表示状態を保持することができる。図４乃至図６に示すように表示パネル２１０は、その下面部分に設けられる下部基板５０と、その上面部分に設けられる上部基板６０とが対向配置され、下部基板５０と上部基板６０との間に表示部７０を備える。なお、Ｉ−Ｉ線は、表示端末１の横方向（図１の左右方向）に平行な線を示し、ＩＩ−ＩＩ線は、縦方向（図１の上下方向）に平行な線を示す。なお、図４〜図６では、説明しやすいように、画素数を５×４の２０個としているが、実際には、必要に応じた画素数を設けることができる。
【００２４】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。なお、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【００２５】
下部基板５０の上方向（図５及び図６の上方向）には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向（図４上方向）から表示部７０を視認可能な表示基板として機能する。
【００２６】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成するとともに、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００２７】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００２８】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。なお、分散媒３４には添加剤としてエタノール（１０ｗｔ％）が加えられている。
【００２９】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、表示パネル２１０をその上方から見ると、マスク部４０に設けられた貫通孔から、表示部７０を視認することができる構成となっている。
【００３０】
次に、図１を参照して、表示パネル２１０の表示領域について説明する。図１に示すように、表示パネル２１０の露出部分は全て表示領域となっているが、、パーソナルコンピュータ１００からデータの転送を受ける場合には、その表示領域上で「データ転送中です。」の文字と、転送状態の％の数値表示部２２１（図１では、一例として、「４０」を表示。）と、データの転送状態をバーのグラフで示すプログレスバー２２２とが表示される。尚、上記表示パネル２１０が「表示パネル」及び「不揮発性表示手段」に相当し、パネル駆動高電圧生成部２１１が「パネル駆動電圧生成部」に相当する。また、充電池２２が「電源」に相当し、通信インターフェース２４が「データ送受信手段」に相当し、ＣＰＵ１０と充電コントローラ１２が「電源供給制御手段」に相当する。また、ＣＰＵ１０と表示コントローラ１１が「表示制御手段」に相当し、ＣＰＵ１０と、スイッチング部２１２及びスイッチング部２１３が「電源切制御手段」に相当する。
【００３１】
次に、図７を参照して、表示パネル２１０とパネル駆動高電圧生成部２１１との電力供給のタイミングについて説明する。図７は、表示パネル２１０とパネル駆動高電圧生成部２１１との電力供給のタイミングを示すタイミングチャートである。
【００３２】
図７に示すように、パネル駆動高電圧生成部２１１は、＋−１５Ｖの電力を要し、起動に１秒、停止に１秒を要する。また、表示パネル２１０は、起動及び停止に係る時間が高速であるため、表示書き換え時に起動停止できる。従って、表示の書き換え時のみに０．７５秒間ＯＮとなる。
【００３３】
次に、図８乃至図１０に示すフローチャートを参照して、第１の実施の形態の表示端末１のパーソナルコンピュータ１００からのデータの受信制御について説明する。図８は、パーソナルコンピュータ１００の動作のフローチャートであり、図９は、表示端末１の動作のフローチャートである。図１０は、パネル転送状態表示処理のサブルーチンのフローチャートである。パーソナルコンピュータ１００に記憶されているコンテンツのデータを表示端末１に転送する場合には、ユーザーがパーソナルコンピュータ１００と表示端末１とをＵＳＢ等の有線接続又は、無線ＬＡＮ、ブルートゥース、赤外線通信等の無線接続で接続する。次いで、ユーザーがパーソナルコンピュータ１００側で表示端末１に転送するコンテンツのデータを選択する。その後、パーソナルコンピュータ１００側で、送信の操作をすると、パーソナルコンピュータ１００からデータ転送開始指示のコマンドが表示端末１に送信される（図８：Ｓ１１）。表示端末１では、データ転送開始指示のコマンド受信すると（図９：Ｓ３１：ＹＥＳ）、外部電源２６の供給が有る場合に（Ｓ３２：ＹＥＳ）、表示パネル２１０の周辺装置（パネル駆動高電圧生成部２１１）が起動中でない場合には（Ｓ３３：ＮＯ）、当該周辺装置（パネル駆動高電圧生成部２１１）を起動し（Ｓ３４）、表示パネル転送状態表示処理（Ｓ３５）を行う。また、外部電源２６の供給が無い場合や（Ｓ３２：ＮＯ）、表示パネル２１０の周辺装置（パネル駆動高電圧生成部２１１）が起動中の場合には（Ｓ３３：ＹＥＳ）、表示パネル転送状態表示処理（Ｓ３５）を行う。
【００３４】
このパネル転送状態表示処理（Ｓ３５）は、具体的には、図１０に示すパネル転送状態表示処理のサブルーチンのフローチャートに従って行われる。具体的には、外部電源の供給がある場合には（図１０：Ｓ５１：ＹＥＳ）、表示パネル周辺装置が起動していない場合は起動し、転送完了まで停止しない。そして、表示パネル２１０を起動し（Ｓ５７）、表示パネルに転送状態（％）の表示を数値表示部２２１及びプログレスバー２２２に表示する（Ｓ５８）。その後、表示パネル２１０を停止する（Ｓ５９）。その後、図９に示すフローチャートにリターンする。
【００３５】
また、外部電源の供給がない場合には（Ｓ５１：ＮＯ）、まず、パネルの周辺装置（パネル駆動高電圧生成部２１１）を起動する（Ｓ５２）。次いで、表示パネル２１０を起動し（Ｓ５３）、表示パネルに転送状態（％）の表示を数値表示部２２１及びプログレスバー２２２に表示する（Ｓ５４）。その後、表示パネル２１０を停止する（Ｓ５５）。その後、パネルの周辺装置（パネル駆動高電圧生成部２１１）を停止する（Ｓ５６）。その後、図９に示すフローチャートにリターンする。
【００３６】
図９に示す表示パネル転送状態表示処理（Ｓ３５）に次いで、外部電源２６が供給されているか否かを示すデータをパーソナルコンピュータ１００に送信する外部電源供給状態送信処理（Ｓ３６）を行う。
【００３７】
パーソナルコンピュータ１００側では、表示端末１に外部電源２６が供給されているか否かを示すデータを表示端末１から受信する外部電源供給状態受信処理（図８：Ｓ１２）を行う。表示端末１に外部電源２６が供給されているというデータを受信した場合には（Ｓ１３：ＹＥＳ）、データ転送状態の表示時間の間隔を最速（一例として、間隔を１秒に設定する）（Ｓ１４）、また、表示端末１に外部電源２６が供給されていないというデータを受信した場合には（Ｓ１３：ＮＯ）、データ転送状態の表示時間の間隔を一例として、１０秒に設定する（Ｓ１５）。次いで、表示端末１に表示させるコンテンツのデータを１パケット分転送する（Ｓ１６）。
【００３８】
一方、表示端末１側では、パーソナルコンピュータ１００からデータを受信すると（図９：Ｓ３７）、表示端末１に表示させるコンテンツのデータか（Ｓ３８：ＹＥＳ）、転送状態のデータか（Ｓ４１：ＹＥＳ）、転送完了か（Ｓ４４：ＹＥＳ）を判断する。受信したデータが、表示端末１に表示させるコンテンツのデータの場合には（Ｓ３８：ＹＥＳ）、受信したデータをＲＡＭ１７に格納し（Ｓ３９）、データ受信の応答信号をパーソナルコンピュータ１００に送信する（Ｓ４０）。
【００３９】
受信したデータが、何％データを送信したかを示す転送状態のデータの場合には（Ｓ４１：ＹＥＳ）、外部電源２６の供給が無く、充電池２２の残量が基準値より少量の場合には（Ｓ４２：ＹＥＳ）、表示パネル転送状態表示処理（Ｓ４３）を行わず、データ受信の応答信号をパーソナルコンピュータ１００に送信し（Ｓ４０）、Ｓ３７の処理に戻る。また、外部電源２６の供給があるか、充電池２２の残量が基準値より少量でない場合に（Ｓ４２：ＮＯ）、表示パネル転送状態表示処理（Ｓ４３）を行い、受信した％の表示を数値表示部２２１及びプログレスバー２２２に表示する。この処理は、図１０に示すサブルーチンの処理で行われるが、詳細は、既に説明したので、ここでの説明は省略する。
【００４０】
一方、パーソナルコンピュータ１００側では、表示端末１からの応答を受信し（図８：Ｓ１７）、データの転送が完了した場合には（Ｓ１８：ＹＥＳ）、データ転送の完了の指示を表示端末１に送信する（Ｓ２２）。データの転送が完了していない場合には（Ｓ１８：ＮＯ）、Ｓ１４又はＳ１５で設定された表示間隔時間が経過した場合には（Ｓ１９：ＹＥＳ）、データの転送が何％終了したかを示す転送状態データを表示端末１に送信する（Ｓ２０）、その後、表示端末１から応答信号を受信して（Ｓ２１）、Ｓ１６の処理に戻る。
【００４１】
表示端末１側では、受信したデータが、転送完了を示すデータの場合には（図９：Ｓ４４：ＹＥＳ）、表示パネルに転送状態（１００％）の表示を数値表示部２２１及びプログレスバー２２２に表示する（Ｓ４５）。その後、データ受信の応答をパーソナルコンピュータ１００に送信し（Ｓ４６）、Ｓ３４の処理で、表示パネル２１０の周辺装置（パネル駆動高電圧生成部２１１）を起動していた場合には（Ｓ４７：ＹＥＳ）、表示パネル２１０の周辺装置（パネル駆動高電圧生成部２１１）を停止する（Ｓ４８）。その後、処理を終了する。
【００４２】
パーソナルコンピュータ１００側では、表示端末１からの応答を受信し（Ｓ２３）、処理を終了する。
【００４３】
以上説明したように、第１の実施の形態の表示端末１では、外部電源２６の供給が有る場合には、パーソナルコンピュータ１００側で、転送状態の表示間隔を最速に設定するので、使用者は転送状態を細かく把握することができる。また、外部電源２６の供給がない場合には、転送状態の表示間隔を長い時間（一例として、１０秒等）に設定できるので、充電池２２の消耗を低減することができる。尚、パーソナルコンピュータ１００の図８に示すフローチャートのＳ１５及びＳ１４の処理で、表示間隔時間が決定され、表示間隔時間経過毎（Ｓ１９：ＹＥＳ）に、転送状態データが表示端末１に送信され、その転送状態データを受信した表示端末１で受信データが転送状態データだったときに（Ｓ４１）、表示パネル転送状態表示（Ｓ４３）を行う処理が、「電源供給制御手段」の処理に相当する。
【００４４】
次に、図１０乃至図１３に示すフローチャートを参照して、第２の実施の形態の表示端末１のパーソナルコンピュータ１００からのデータの受信制御について説明する。図１１は、パーソナルコンピュータ１００の第２の実施の形態の動作のフローチャートであり、図１２は、表示端末１の第２の実施の形態の動作のフローチャートである。図１３は、転送状態表示間隔算出処理のフローチャートである。尚、図８乃至図１３に示すフローチャートのプログラムは、記憶媒体としてのＲＯＭ１６に記憶されている。
【００４５】
まず、パーソナルコンピュータ１００からデータを表示端末１に送信する場合には、パーソナルコンピュータ１００からデータ転送開始指示のコマンドと、これから転送する全転送データ量を示すデータを表示端末１に送信する（図１１：Ｓ７１）。すると、表示端末１では、データ転送開始指示のコマンドと全転送データ量を示すデータとを受信する（図１２：Ｓ８１）。外部電源２６の供給が有る場合に（Ｓ８２：ＹＥＳ）、表示パネル２１０の周辺装置（パネル駆動高電圧生成部２１１）が起動中でない場合には（Ｓ８３：ＮＯ）、当該周辺装置（パネル駆動高電圧生成部２１１）を起動し（Ｓ８４）、転送状態表示間隔算出処理（Ｓ８５）を行う。また、外部電源２６の供給が無い場合や（Ｓ８２：ＮＯ）、表示パネル２１０の周辺装置（パネル駆動高電圧生成部２１１）が起動中の場合には（Ｓ８３：ＹＥＳ）、転送状態表示間隔算出処理（Ｓ８５）を行う。
【００４６】
この転送状態表示間隔算出処理（Ｓ８５）は、具体的には、図１３に示す転送状態表示間隔算出処理のサブルーチンのフローチャートに従って行われる。具体的には、まず、全データ転送時間算出処理（Ｓ１０１）を行う。この全データ転送時間算出処理では、全データ転送量をデータの転送に使用する伝送媒体（無線接続（一例として、無線ＬＡＮ、ブルートゥース、赤外線通信）や有線接続（一例として、ＵＳＢ，ＩＥＥＥ１３９４等）等）の通信速度で割り算を行って全データの転送に必要な時間を算出する（Ｓ１０１）。ここで、外部電源の供給がある場合には（Ｓ１０２：ＹＥＳ）、表示時間の間隔は最速（一例として、１秒）に設定する（Ｓ１０６）。また、外部電源の供給がない場合で（Ｓ１０２：ＮＯ）、充電池の残量が所定の基準値未満の場合には（Ｓ１０３：ＹＥＳ）、表示時間の間隔は全データの転送時間に設定する（Ｓ１０４）。即ち、「データ転送中です。０％完了」の次は、「転送完了」しか表示されない設定となる（Ｓ１０４）。また、外部電源の供給がない場合で（Ｓ１０２：ＮＯ）、充電池の残量が所定の基準値以上の場合には（Ｓ１０３：ＮＯ）、表示時間の間隔は一例として、１０秒に設定する（Ｓ１０５）。その後、図１２に示すフローチャートにリターンする。尚、Ｓ１０３の処理を実行するＣＰＵ１０と充電コントローラ１２が電池残量検出手段に相当する。
【００４７】
次いで、表示パネル転送状態表示処理（Ｓ８６）を行う。このパネル転送状態表示処理（Ｓ８６）は、具体的には、図１０に示すパネル転送状態表示処理のサブルーチンのフローチャートに従って行われる。まず、外部電源の供給がある場合には（図１０：Ｓ５１：ＹＥＳ）、表示パネル周辺装置が起動していない場合は起動し、転送完了まで停止しない。そして、表示パネル２１０を起動し（Ｓ５７）、表示パネルに転送状態（０％）の表示を数値表示部２２１及びプログレスバー２２２に表示する（Ｓ５８）。その後、表示パネル２１０を停止する（Ｓ５９）。その後、図１２に示すフローチャートにリターンする。
【００４８】
また、外部電源の供給がない場合には（図１０：Ｓ５１：ＮＯ）、まず、パネルの周辺装置（パネル駆動高電圧生成部２１１）を起動する（Ｓ５２）。次いで、表示パネル２１０を起動し（Ｓ５３）、表示パネルに転送状態（０％）の表示を数値表示部２２１及びプログレスバー２２２に表示する（Ｓ５４）。その後、表示パネル２１０を停止する（Ｓ５５）。その後、パネルの周辺装置（パネル駆動高電圧生成部２１１）を停止する（Ｓ５６）。その後、図１２に示すフローチャートにリターンする。
【００４９】
図１２に示す表示パネル転送状態表示処理（Ｓ８６）に次いで、応答信号をパーソナルコンピュータ１００に送信する（Ｓ８７）を行う。
【００５０】
パーソナルコンピュータ１００側では、表示端末１から応答信号を受信すると（図１１：Ｓ７２：ＹＥＳ）、表示用のコンテンツのデータを１パケット分転送する（Ｓ７３）。次いで、表示端末１から応答信号を受信し（Ｓ７４）、データ転送完了でない場合には（Ｓ７５：ＮＯ）、Ｓ７３に戻り、データ転送完了の場合には（Ｓ７５：ＹＥＳ）、データ転送の完了の指示を表示端末１に送信する（Ｓ７６）。その後、応答信号を表示端末１から応答信号を受信すると（Ｓ７７：ＹＥＳ）、処理を終了する。
【００５１】
表示端末１側では、データを受信し（Ｓ８８）、受信したデータが、転送完了を示すデータでなく、表示用のコンテンツのデータの場合には（図１２：Ｓ８９：ＮＯ）、受信したデータをＲＡＭ１７に格納する（Ｓ９０）。次いで、Ｓ８５の処理で算出した表示時間が経過した場合には（Ｓ９１：ＹＥＳ）、受信したデータ量を全データ転送量で割って、現在％の転送状態かを求める（Ｓ９２）。次いで、Ｓ９２で求めた転送状態（％）を表示パネルの数値表示部２２１及びプログレスバー２２２に表示する（Ｓ９３）。なお、Ｓ９３の処理は、前記同様に図１０に示すパネル転送状態表示のサブルーチンによって行われる。その後、データ受信の応答をパーソナルコンピュータ１００に送信し（Ｓ９４）、Ｓ８８の処理に戻る。
【００５２】
また、表示端末１側では、データを受信し（Ｓ８８）、受信したデータが、転送完了を示すデータの場合には（図１２：Ｓ８９：ＹＥＳ）、表示パネルに転送状態（１００％）の表示を数値表示部２２１及びプログレスバー２２２に表示する（Ｓ９５）。なお、Ｓ９５の処理は、前記同様に図１０に示すパネル転送状態表示のサブルーチンによって行われる。その後、データ受信の応答をパーソナルコンピュータ１００に送信し（Ｓ９６）、Ｓ８４の処理で、表示パネル２１０の周辺装置（パネル駆動高電圧生成部２１１）を起動していた場合には（Ｓ９７：ＹＥＳ）、表示パネル２１０の周辺装置（パネル駆動高電圧生成部２１１）を停止する（Ｓ９８）。その後、処理を終了する。
【００５３】
以上説明したように、第２の実施の形態の表示端末１では、外部電源２６の供給が有る場合には、転送状態の表示間隔を最速に設定するので、使用者は転送状態を細かく把握することができる。また、外部電源２６の供給がない場合には、充電池２２の残量により、転送状態の表示間隔を長い時間（一例として、１０秒等）か、それとも、転送完了のみの表示しないかの何れかに設定できるので、充電池２２の消耗を低減することができる。
【００５４】
次に、図１４及び図１５に示すフローチャートを参照して、転送状態表示間隔算出処理の変形例について説明する。図１４及び図１５は、転送状態表示間隔算出処理の変形例のフローチャートである。まず、図１４を参照して、転送状態表示間隔算出処理の第１変形例について説明する。まず、この全データ転送時間算出処理では、全データ転送量をデータの転送に使用する伝送媒体（無線接続（一例として、無線ＬＡＮ、ブルートゥース、赤外線通信）や有線接続（一例として、ＵＳＢ，ＩＥＥＥ１３９４等）等）の通信速度で割り算を行って全データの転送に必要な時間を算出する（Ｓ１１１）。ここで、外部電源の供給がある場合には（Ｓ１１２：ＹＥＳ）、表示時間の間隔は最速（一例として、１秒）に設定する（Ｓ１１６）。また、外部電源の供給がない場合で（Ｓ１１２：ＮＯ）、Ｓ１１１の処理で算出した全データ転送時間が基準未満（一例として、１０秒未満）の場合には（Ｓ１１３：ＹＥＳ）、表示時間の間隔は全データの転送時間に設定する（Ｓ１１４）。即ち、「データ転送中です。０％完了」の次は、「転送完了」しか表示されない設定となる（Ｓ１１４）。また、外部電源の供給がない場合で（Ｓ１１２：ＮＯ）、全データ転送時間が所定の基準値以上（一例として、１０秒以上）の場合には（Ｓ１１３：ＮＯ）、表示時間の間隔は一例として、１０秒に設定する（Ｓ１１５）。従って、第１変形例では、全データ転送時間に応じた間隔で、表示パネル２１０と表示パネル２１０の周辺装置（パネル駆動高電圧生成部２１１）とを電力供給状態にすることができる。
【００５５】
次に、図１５を参照して、転送状態表示間隔算出処理の第２変形例について説明する。まず、この全データ転送時間算出処理では、外部電源の供給がある場合には（Ｓ１２２：ＹＥＳ）、表示時間の間隔は最速（一例として、１秒）に設定する（Ｓ１２６）。また、外部電源の供給がない場合で（Ｓ１２２：ＮＯ）、転送される全データ量が基準未満（一例として、１０ＭＢ未満）の場合には（Ｓ１２３：ＹＥＳ）、表示時間の間隔は全データの転送時間に設定する（Ｓ１２４）。即ち、「データ転送中です。０％完了」の次は、「転送完了」しか表示されない設定となる（Ｓ１２４）。また、外部電源の供給がない場合で（Ｓ１２２：ＮＯ）、転送される全データ量が所定の基準値以上（一例として、１０ＭＢ以上）の場合には（Ｓ１２３：ＮＯ）、表示時間の間隔は一例として、１０秒に設定する（Ｓ１２５）。従って、第２変形例では、転送される全データ量に応じた間隔で、表示パネル２１０と表示パネル２１０の周辺装置（パネル駆動高電圧生成部２１１）とを電力供給状態にすることができる。
【００５６】
さらに、本発明は、各種の変形が可能である。例えば、上記の実施の形態では、コンテンツの受信時の処理で説明したが、送信時の処理にも適用できる。また、表示パネル２１０は、電気泳動表示パネル以外の各種の不揮発性の表示パネルを使用できる。また、表示端末１としては、例えば電子ブック、携帯電話、ＰＤＡ、携帯ゲーム機等に適用できる。さらに、「表示パネル」は、メインディスプレイだけでなくサブディスプレイとして使われるものでも良い。また、メインディスプレイとして液晶を備えているもののサブディスプレに適用することもできる。さらに、転送されるデータとしてはコンテンツ以外に音楽データ等でも良い。また、コンテンツデータの転送を開始するタイミングは、上記のパーソナルコンピュータ１００上で、転送指示の操作をした場合以外に、パーソナルコンピュータ１００に表示端末１を接続し、その接続をパーソナルコンピュータ１００が認識したタイミング等でも良い。
【図面の簡単な説明】
【００５７】
【図１】表示端末１の正面図である。
【図２】表示端末１の電気的構成を示す模式図である。
【図３】表示部２１及びその周辺回路の電気的構成図である。
【図４】表示パネル２１０の正面図である。
【図５】表示パネル２１０のＩ−Ｉ線（図４）における矢視方向断面図である。
【図６】表示パネル２１０のＩＩ−ＩＩ線（図４）における矢視方向断面図である。
【図７】表示パネル２１０とパネル駆動高電圧生成部２１１との電力供給のタイミングを示すタイミングチャートである。
【図８】パーソナルコンピュータ１００の動作のフローチャートである。
【図９】表示端末１の動作のフローチャートである。
【図１０】パネル転送状態表示処理のサブルーチンのフローチャートである。
【図１１】パーソナルコンピュータ１００の第２の実施の形態の動作のフローチャートである。
【図１２】表示端末１の第２の実施の形態の動作のフローチャートである。
【図１３】転送状態表示間隔算出処理のフローチャートである。
【図１４】転送状態表示間隔算出処理の第１変形例のフローチャートである。
【図１５】転送状態表示間隔算出処理の第２変形例のフローチャートである。
【符号の説明】
【００５８】
１ 表示端末
１０ ＣＰＵ
１１ 表示コントローラ
１２ 充電コントローラ
１４ 操作キー
１５ 電源ボタン
２１ 表示部
２２ 充電池
２４ 通信インターフェース
２６ 外部電源
３０ データバス
１４ 操作キー
２１０ 表示パネル
２１１ パネル駆動高電圧生成部
２１２ スイッチング部
２１３ スイッチング部
２２１ 数値表示部
２２２ プログレスバー
【図１】
2009244538.tif 000003
【図２】
2009244538.tif 000004
【図３】
2009244538.tif 000005
【図４】
2009244538.tif 000006
【図５】
2009244538.tif 000007
【図６】
2009244538.tif 000008
【図７】
2009244538.tif 000009
【図８】
2009244538.tif 000010
【図９】
2009244538.tif 000011
【図１０】
2009244538.tif 000012
【図１１】
2009244538.tif 000013
【図１２】
2009244538.tif 000014
【図１３】
2009244538.tif 000015
【図１４】
2009244538.tif 000016
【図１５】
2009244538.tif 000017